(57)【要約】【課題】会員の消費意欲をかき立てることの出来る注文を行うことの出来る商取引サーバを提供する。【解決手段】商取引サーバ１は、家族員数取得手段２２によって、ある日のメニューの食事をとる家族の人数（員数）を取得し、家族員数記憶装置１４に登録する。更に、家族員数記憶装置１４とメニュー記憶装置１２を参照して、素材量算出手段２５によって、家族員数に応じた素材量を算出する。チラシメニュー記憶装置１２には、会員に配布した会員用チラシ３２ａ乃至３２ｃに掲載されているメニューを記憶している。素材算出手段２５によって、家族の嗜好に応じた分量の素材量を算出するようにしても良い。【選択図】　　　図１
2004046534.tif 000002
【特許請求の範囲】
【請求項１】
会員の利用する会員端末から、作成するための創作品が掲載されているチラシを参照して、一定期間に必要な商品の注文を、前記一定期間毎に注文を受け付ける商取引システムに用いられる商取引サーバであって、
前記創作品を識別する創作品番号を少なくとも含み、前記創作品を作成するのに必要な部材の情報を登録した創作品情報記憶装置と、
前記会員端末から、前記一定期間の各日にちに前記創作品を用いる員数を受け取り、員数記憶装置に登録する員数取得手段と、
前記会員端末から、注文する前記チラシに掲載された創作品を決定する創作品決定手段と、
前記創作品記憶装置及び前記員数記憶装置を参照して、前記創作品決定手段で決定された創作品を作成するのに必要な、前記部材の量を算出する部材量算出手段と、
前記部材量算出手段で算出された量の部材の購入を決定させる注文決定手段
とを備えることを特徴とする商取引サーバ。
【請求項２】
前記会員の嗜好にあった前記創作品の前記部材の量を登録する会員嗜好情報記憶装置を更に備え、
前記部材量算出手段において、更に前記会員嗜好情報記憶装置を参照して、前記会員の嗜好にあった前記部材の量を算出する
ことを特徴とする請求項１に記載の商取引サーバ。
【請求項３】
会員の利用する会員端末から、創作品を作成するための商品が掲載されているチラシを参照して、一定期間に必要な商品の注文を、前記一定期間毎に注文を受け付ける商取引システムに用いられる商取引サーバであって、
前記商品を識別する商品番号を少なくとも含む、前記チラシに掲載された前記商品に関する情報を登録されたチラシ情報記憶装置と、
前記商品から作成出来る創作品を識別する創作品番号と、前記創作品の作成に必要な前記商品の前記商品番号及び前記商品の量を関連づけて登録する創作品記憶装置と、
前記会員端末から、前記一定期間の各日にちに前記創作品を用いる員数を受け取り、員数記憶装置に登録する員数取得手段と、
前記チラシ情報記憶装置及び前記創作品記憶装置を参照して、前記チラシ情報記憶装置に掲載された前記商品から作成することの出来る創作品を挙げ、各日にちの創作品を決定させる創作品決定手段と、
前記創作品記憶装置及び前記員数記憶装置を参照して、前記創作品決定手段で決定された創作品を作成するのに必要な、前記商品の前記商品番号及び前記商品の量を算出する商品量算出手段と、
前記商品量算出手段で算出された前記商品番号及び前記商品の量の商品の購入を決定させる注文決定手段
とを備えることを特徴とする商取引サーバ。
【請求項４】
前記会員の嗜好にあった創作品の前記創作品番号を登録する会員嗜好情報記憶装置を更に備え、
前記創作品決定手段は、前記会員嗜好情報記憶装置を参照して、前記会員の嗜好にあった創作品を優先的に挙げる
ことを特徴とする請求項３に記載の商取引サーバ。
【請求項５】
前記会員の嗜好にあった前記創作品を作成する前記商品の商品番号及び前記商品の量を登録した会員嗜好情報記憶装置を更に備え、
前記商品量算出手段は、更に前記会員嗜好情報記憶装置を参照して、前記会員の嗜好にあった、前記決定された創作品を作成するのに必要な前記商品の商品番号及び前記商品の量を算出する
ことを特徴とする請求項３に記載の商取引サーバ。
【請求項６】
前記会員の嗜好にあった創作品の前記創作品番号、及び前記会員の嗜好にあった前記創作品を作成する前記商品の商品番号及び前記商品の量を登録した会員嗜好情報記憶装置を更に備え、
前記創作品決定手段は、前記会員嗜好情報記憶装置を参照して、前記会員の嗜好にあった創作品を優先的に挙げ、
前記商品量算出手段は、更に前記会員嗜好情報記憶装置を参照して、前記会員の嗜好にあった、前記決定された創作品を作成するのに必要な前記商品の商品番号及び前記商品の量を算出する
ことを特徴とする請求項３に記載の商取引サーバ。
【請求項７】
前記注文決定手段は、前記商品量算出手段で算出された前記商品番号及び前記商品の量の商品を補正して、前記会員の嗜好にあった前記商品の前記商品番号及び前記商品の量に編集して購入を決定する
ことを特徴とする請求項３乃至６のいずれか１項に記載の商取引サーバ。
【請求項８】
前記注文決定手段で、前記会員によって編集された前記商品の商品番号及び前記商品の量を発注された場合、前記会員嗜好情報記憶装置に対して更新を行う会員嗜好更新手段
を更に備えることを特徴とする請求項７に記載の商取引サーバ。
【発明の詳細な説明】
【０００１】
【発明の属する技術分野】
本発明は、会員の利用する会員端末から、創作品を作成するための商品が掲載されているチラシを参照して、一定期間に必要な商品の注文を、前記一定期間後とに注文を受け付ける商取引システムに用いられる商取引サーバに関する。
【０００２】
【従来の技術】
昨今の流通の発達により、様々な商品の購入の仕方が提案されている。例えば、店舗に出向いて購入する場合、カタログを見て商品を購入し配送してもらう場合などがある。
【０００３】
又、会員に対して商品の配達を行うシステムにおいて、
（１）以前に注文された１週間分の商品を配り、
（２）１週間先の商品を注文を受け、
（３）更に２週間先に購入する商品が掲載されたチラシを配る
方法が一般的に普及している。この方法は、共働きの家庭や、体の不自由な老人家庭が増えた状況に合致し、店舗の開いている時間に買い物に行ったり、重い荷物を運ぶ必要がないため、飛躍的に広まっている。
【０００４】
一方、近年の、インターネット等の通信ネットワークの発達に伴い、通信ネットワークに接続出来る情報機器が普及している。ここで、情報機器とは、パーソナルコンピュータ、ＰＤＡ、ＰＨＳ、携帯電話なのである。特に、携帯電話の普及は著しく、ほとんどのユーザは携帯電話を持っており、通話、メール、インターネットアクセスを行うことが出来る。
【０００５】
【発明が解決しようとする課題】
しかし、従来の商取引方法においては、商品を注文する際、用紙に鉛筆等でマーキングを施し、ＯＣＲで読みとる方法が採られてきていた。しかし、この方法では、ＯＣＲの読みとりに失敗する場合があり、消費意欲をかき立てる注文を行うことが出来なかった。
【０００６】
又、携帯電話等の情報機器の発達に伴い、情報機器を使って商品を注文する方法の提案が待望されている。
【０００７】
従って本発明の目的は、情報機器から、会員の消費意欲をかき立てることの出来る注文を行うことの出来る商取引サーバを提供することである。
【０００８】
【課題を解決するための手段】
上記課題を解決するために、本発明の第１の特徴に係る商取引サーバは、会員の利用する会員端末から、作成するための創作品が掲載されているチラシを参照して、一定期間に必要な商品の注文を、一定期間毎に注文を受け付ける商取引システムに用いられる商取引サーバであって、創作品を識別する創作品番号を少なくとも含み、創作品を作成するのに必要な部材の情報を登録した創作品情報記憶装置と、会員端末から、一定期間の各日にちに創作品を用いる員数を受け取り、員数記憶装置に登録する員数取得手段と、会員端末から、注文するチラシに掲載された創作品を決定する創作品決定手段と、創作品記憶装置及び員数記憶装置を参照して、創作品決定手段で決定された創作品を作成するのに必要な、部材の量を算出する部材量算出手段と、部材量算出手段で算出された量の部材の購入を決定させる注文決定手段とを備えるであることである。
【０００９】
ここで、「創作品」とは、料理のメニュー、手芸品、フラワーアレンジメントなどのことで、会員が部材を購入し、購入した商品から会員が作成するもののことをいう。
【００１０】
このような本発明の第１の特徴に係る商取引サーバによれば、例えば、料理を食べる人数を予め登録し、その人数に見合った素材（商品）を配達することが出来るので、会員は材料の算出などの手間を省くことが出来る。
【００１１】
又、会員の嗜好にあった創作品の部材の量を登録する会員嗜好情報記憶装置を更に備え、部材量算出手段において、更に会員嗜好情報記憶装置を参照して、会員の嗜好にあった部材の量を算出することが好ましい。
【００１２】
これによれば、会員の嗜好にあった部材の量を算出することが出来るので、会員は注文の都度、部材の量の修正を行わなくても良い。
【００１３】
本発明の第２の特徴に係る商取引サーバは、会員の利用する会員端末から、創作品を作成するための商品が掲載されているチラシを参照して、一定期間に必要な商品の注文を、一定期間毎に注文を受け付ける商取引システムに用いられる商取引サーバであって、商品を識別する商品番号を少なくとも含む、チラシに掲載された商品に関する情報を登録されたチラシ情報記憶装置と、商品から作成出来る創作品を識別する創作品番号と、創作品の作成に必要な商品の商品番号及び商品の量を関連づけて登録する創作品記憶装置と、会員端末から、一定期間の各日にちに創作品を用いる員数を受け取り、員数記憶装置に登録する員数取得手段と、チラシ情報記憶装置及び創作品記憶装置を参照して、チラシ情報記憶装置に掲載された商品から作成することの出来る創作品を挙げ、各日にちの創作品を決定させる創作品決定手段と、創作品記憶装置及び員数記憶装置を参照して、創作品決定手段で決定された創作品を作成するのに必要な、商品の商品番号及び商品の量を算出する商品量算出手段と、商品量算出手段で算出された商品番号及び商品の量の商品の購入を決定させる注文決定手段とを備えるが好ましい。
【００１４】
このような本発明の第２の特徴に係る商取引サーバによれば、例えば、料理を食べる人数を予め登録し、その人数に見合った素材（商品）を配達することが出来るので、会員は材料の算出などの手間を省くことが出来る。更に、チラシに掲載された商品から、どのような創作品が出来るかを自分で考えることなく、サーバが提示するので、会員は、容易に商品を選択することが出来る。
【００１５】
又、会員の嗜好にあった創作品の創作品番号を登録する会員嗜好情報記憶装置を更に備え、創作品決定手段は、会員嗜好情報記憶装置を参照して、会員の嗜好にあった創作品を優先的に挙げることが好ましい。
【００１６】
これによれば、会員の嗜好にあった創作品を優先的に作成することが出来る。
【００１７】
又、会員の嗜好にあった創作品を作成する商品の商品番号及び商品の量を登録した会員嗜好情報記憶装置を更に備え、商品量算出手段は、更に会員嗜好情報記憶装置を参照して、会員の嗜好にあった、決定された創作品を作成するのに必要な商品の商品番号及び商品の量を算出することが好ましい。
【００１８】
これによれば、会員の嗜好にあった商品を優先的に使って、創作品を作成することが出来る。
【００１９】
又、会員の嗜好にあった創作品の創作品番号、及び会員の嗜好にあった創作品を作成する商品の商品番号及び商品の量を登録した会員嗜好情報記憶装置を更に備え、創作品決定手段は、会員嗜好情報記憶装置を参照して、会員の嗜好にあった創作品を優先的に挙げ、商品量算出手段は、更に会員嗜好情報記憶装置を参照して、会員の嗜好にあった、決定された創作品を作成するのに必要な商品の商品番号及び商品の量を算出することが好ましい。
【００２０】
これによれば、会員の嗜好にあった商品を優先的に使って、会員の嗜好にあった創作品を優先的に作成することが出来る。
【００２１】
又、注文決定手段は、商品量算出手段で算出された商品番号及び商品の量の商品を補正して、会員の嗜好にあった商品の商品番号及び商品の量に編集して購入を決定することが好ましい。
【００２２】
これによれば、そのときの会員の嗜好にあった商品を購入することが出来る。又、既に在庫があって、購入する必要がない場合などにも対応することが出来る。
【００２３】
又、注文決定手段で、会員によって編集された商品の商品番号及び商品の量を発注された場合、会員嗜好情報記憶装置に対して更新を行う会員嗜好更新手段を更に備えることが好ましい。
【００２４】
これによれば、会員の嗜好が随時更新されるので、本サーバを利用するほど、会員の嗜好を的確に捉えた作品を容易に作成することが出来る。
【００２５】
【発明の実施の形態】
次に、図面を参照して、本発明の実施の形態を説明する。以下の図面の記載において、同一又は類似の部分には同一又は類似の符号を付している。
【００２６】
本発明の実施の形態においては、１週間毎に配送を行う場合について記載しているが、配送頻度は１週間に一度とは限らず、それ以上でもそれ以下でも構わない。
【００２７】
（第１の実施の形態）
本発明の第１の実施の形態において、商取引サーバ１が、会員端末３ａからの注文を受け付ける場合について説明する。
【００２８】
図１に示すように、本発明の第１の実施の形態に係る商取引システムは、商取引サーバ１及び会員端末３ａ乃至３ｃを備えている。商取引サーバ１は、会員用チラシ３２ａ乃至３２ｃをそれぞれ参照した会員端末３ａ乃至３ｃから、商品の注文を受け付ける。このとき、商取引サーバ１は、家族員数取得手段２２によって、ある日のメニューの食事をとる家族の人数（員数）を取得し、家族員数記憶装置１４に登録する。更に、家族員数記憶装置１４と、チラシ３２ａ乃至チラシ３２ｃに掲載されたメニューを記憶したチラシメニュー記憶装置１８を参照して、素材量算出手段２５によって、家族員数に応じた素材量を算出する。
【００２９】
商取引サーバ１は、サーバコンピュータ、ホストコンピュータなどの大量のデータを処理出来る情報機器であるのが好ましい。会員端末３ａ乃至３ｃは、携帯電話、ＰＤＡ、パーソナルコンピュータ等、一般家庭で利用されるの情報機器であるのが好ましい。会員は、会員用チラシ３ａ乃至３ｃを参照しながら、会員端末３ａ乃至３ｃを利用して、商取引サーバ１に商品の発注を行う。ここで、会員端末３ａは、バーコードリーダ４ａを備えており、会員用チラシ３ａ等に設けられたバーコードを読みとり、商取引サーバ１に対して発注処理を行うことが出来る。バーコードリーダ４ａが読みとれるバーコードは、一次元バーコードでも、二次元バーコードでも構わないし、縦型バーコードでも横型バーコードでも構わない。
【００３０】
商取引サーバ１及び会員端末３ａ乃至３ｃは、通信ネットワーク２に接続され、互いに通信が可能である。通信ネットワーク２は、インターネット、パソコン通信等の通信ネットワークであり、パケット通信で通信が行われる場合には、パケット通信網も含まれる場合がある。商取引サーバ１及び会員端末３ａ乃至３ｃは、モデム、ＬＡＮカード、インターネットサービスプロバイダサーバなどを介して通信ネットワーク２に接続される。
【００３１】
図２は、会員端末３ａから、バーコードリーダ４を会員用チラシ３２ａにかざして、商品を注文する状態を示した図である。
【００３２】
バーコードリーダ４は、レーザー光照射ボタン４ａ、レーザー光照射部４ｂ、ケーブル４ｃ、コネクタ４ｄを備えている。又、会員用チラシ３２ａには、掲載されている商品毎に商品バーコード部３３ａ、３３ｂ、…を備えている。会員は、バーコードリーダ４を商品バーコード部３３ａにかざし、レーザー光照射ボタン４ａを押下することによりレーザー光照射部４６より商品バーコード部３３ａに照射され、商品バーコード部３３ａのバーコードを読みとることが出来る。読みとられた情報は、ケーブル４ｃ、コネクタ４ｄを介して会員端末４ａに送信される。このコネクタ４ｄは、会員端末３ａと接続するものであって、どのような形状を持つかは、接続する会員端末に依存する。
【００３３】
商品バーコード部３３ａは、縦に印刷されるのが好ましい。バーコードリーダ４を親指と人差し指とで挟み、親指でレーザー光照射ボタン４ａを押下するように挟持する。商品バーコード部３３ａを縦に印刷することにより、会員は腕を縦又は横に動かしながら親指を操作して、注文することが出来る。即ち、会員が押下しやすい持ち方の状態のまま、バーコードを読みとらせていくことが可能なので、不便を感じないで、かつ素早く読みとらせることが出来る。
【００３４】
又、商品バーコード部３３ａを縦に印刷することにより、会員は、商品バーコード部３３ａを確認出来るのでバーコードリーダ４をかざしやすく、スムーズに商品の発注を行うことが出来る。
【００３５】
図３は、本発明の第１の実施の形態に係る会員用チラシ３２の一例である。会員用チラシ３２ａ乃至３２ｃは、メニュー表示部４１ａ及び４１ｃを備えている。メニュー表示部４１ａには、メニューに必要な素材の分量を表示した素材表示部４２ａ、及びこのメニューを発注するときに利用する商品バーコード部３３ａを備えている。又、このメニューの名前、値段、写真、レシピなどが掲載されていても良い。メニュー表示部４１ｂも、メニュー表示部４１ａと同様であり、メニュー毎にメニュー表示部４１ａ、４１ｂ…を設けるのが好ましい。
【００３６】
更に、メニューの大分類となる商品ジャンル毎に商品の注文を行う様にしても良く、図の商品ジャンルバーコード部３４ａの様に、この商品ジャンル毎にバーコード部が設けられるのが好ましい。この商品ジャンルは、肉料理、魚料理、等でも良いし、家庭料理、パーティー料理などの分類でも構わない。
【００３７】
商品バーコード部３３ａ、３３ｂ、商品ジャンルバーコード部３４ａは、それぞれが設けられる領域の右側に備えるのが好ましい。これらのバーコード部を右側に備えることにより、会員は、バーコードリーダ４を右手に持つことにより、左方より商品やバーコードを確認しながら、右方よりバーコードリーダ４で容易にスキャンすることができる。
【００３８】
図４を用いて、本発明の第２の実施の形態に係る商取引サーバ１を説明する。
【００３９】
図４を参照すると、商取引サーバ１は、会員情報記憶装置１１、注文情報記憶装置１３、家族員数（員数）記憶装置１４、会員嗜好記憶装置１６、チラシメニュー（創作品情報）記憶装置１８を備えている。
【００４０】
会員情報記憶装置１１は、本システムを利用する会員を識別する会員番号を少なくとも含む、会員に関する情報を登録する記憶装置である。更に、商取引サーバ１へのアクセスを認証するパスワードも登録されている。このパスワードは暗号化されて記録されていても良い。
【００４１】
注文情報記憶装置１３は、会員番号を少なくとも含む、会員端末３ａ乃至３ｃから注文された内容に関する情報を登録する記憶装置である。
【００４２】
家族員数記憶装置１４は、会員端末３ａ乃至３ｃから受け取った、１週間分の各日にちに、会員が決めたメニューの食事をする員数を登録する記憶装置である。
【００４３】
会員嗜好情報記憶装置１６は、会員の嗜好にあったメニューのメニュー番号（創作品番号）及び、会員の嗜好にあったメニューを作成する商品（素材）の商品番号及び商品の量を登録していている。会員嗜好情報記憶装置１６は、会員の嗜好にあったメニューのメニュー番号のみ登録されていても良いし、会員の嗜好にあったメニューを作成する商品（部材）の商品番号及び商品の量のみ登録されていても良い。
【００４４】
チラシメニュー記憶装置１８は、チラシに掲載されたメニューの識別番号と、メニュー名、そのメニューに使う分量などが記録された記憶装置である。図５に示すように、チラシメニュー記憶装置１８は、メニューの識別番号であるメニュー番号、何人分の分量であるかを示した人数、メニュー名、メニューに使う商品番号、商品名、分量、及びこのメニューの値段等が登録されている。
【００４５】
図４を参照して、商取引サーバ１と会員端末３ａとのシーケンスを説明する。
【００４６】
まず、会員端末３ａから商取引サーバ１に、指定するＵＲＬのドキュメントの送信を要求し、商取引サーバ１は、該当するドキュメントを会員端末３ａに送信する（Ｄ４０１）。ここで送信するドキュメントは、会員端末３ａを利用しているユーザを認証するのに必要な、会員番号、パスワード等を入力させる認証画面である。
【００４７】
次に、会員端末３ａは、送信された認証画面に、会員番号、パスワードを入力し、商取引サーバ１に送信する（Ｄ４０２）。商取引サーバ１は、会員情報記憶装置１１を参照して、送信された会員番号及びパスワードを認証する。認証出来ない場合は、会員に再び会員番号、パスワードを入力させるか、認証処理を終了する。
【００４８】
Ｄ４０２において認証出来た場合は、商取引サーバ１は、会員用のカレンダーを作成し、会員端末３ａに送信する、会員端末３ａにおいて、カレンダーにその日のメニューをとる員数を記入し、会員番号と家族員数を商取引サーバ１に送信する（Ｄ４０４）。商取引サーバ１は、受け取った会員番号及び家族員数を、家族員数記憶装置１４に送信する。
【００４９】
更に、商取引サーバ１と会員端末３ａとで、次週の発注要求を行るように、ＵＲＬや会員番号等をやりとりし、（Ｄ４０５）、会員端末３ａは、商取引サーバ１に、注文するメニューを送信する（Ｄ４０６）。又、ここには、日付、員数、会員番号等が記載されている。更に、メニューボタンＢ１０１をクリックすることにより、日付、人数、会員番号、メニューなどの情報を商取引サーバ１に送信する。
【００５０】
商取引サーバ１は、チラシメニュー記憶装置１８及び会員嗜好記憶装置１６を参照して、会員が選択したメニューに必要な素材と素材数を決定し、会員端末３ａに送信する（Ｄ４０７）。会員端末３ａにおいては、商取引サーバ１から送信された素材リストＢ１０４を表示し、発注素材を決定し、発注素材を商取引サーバ１に送信する（Ｄ４０８）。このとき、商取引サーバ１から送信された素材リストＢ１０４のまま発注しても良いし、素材の種類や量を増減しても構わない。商取引サーバ１に送信された発注素材は、注文情報記憶装置１３に登録される。
【００５１】
図６に示す様に、本発明の第１の実施の形態に係る商取引サーバ１は、会員情報記憶装置１１、注文情報記憶装置１３、家族員数記憶装置１４、会員嗜好情報記憶装置１６、チラシメニュー記憶装置１８、会員認証手段２１、家族員数取得手段２２、メニュー決定手段２３、注文決定手段２４、素材量算出手段２５、嗜好選定手段２７、会員嗜好情報更新手段２８、通信制御装置３１を備えている。
【００５２】
会員情報記憶装置１１、注文情報記憶装置１３、家族員数記憶装置１４、会員嗜好情報記憶装置１６、チラシメニュー記憶装置１８は、図４で説明した通りである。
【００５３】
会員認証手段２１は、会員情報記憶装置１１を参照して、会員端末３ａから送信された会員番号、パスワード等を認証する手段である。
【００５４】
家族員数取得手段２２は、会員情報記憶装置１１を参照して、次回の配送日から１週間の間に、決定されたメニューの食事をする家族の員数を、家族員数記憶装置１４に登録する手段である。具体的には、家族員数取得手段２２は、次回の配送日から週間のカレンダーを作成し、会員端末３ａに送信し、会員端末３ａから、当該日の家族員数を入力させる。家族員数取得手段２２は、入力された家族員数を受信する。
【００５５】
メニュー決定手段２３は、会員端末３ａに、メニューを決定させる。メニュー決定手段２３は、決定されたメニューを受信し、次回の配送日から１週間のそれぞれの日にちに対してメニューを決定する。
【００５６】
素材量算出手段２５は、メニュー記憶装置１２及び家族員数記憶装置１４を参照して、メニュー決定手段２３で決定されたメニューを作成するのに必要な、メニューの商品番号及び素材の量を算出する手段である。
【００５７】
注文決定手段２４は、決定されたメニューの調理に必要な商品番号、素材の量を、素材リストとして会員端末３ａに送信し、注文を決定する手段である。注文が決定された商品は、注文情報記憶装置１３に登録される。
【００５８】
会員嗜好情報更新手段２８は、素材量算出手段２５によって算出された素材及び素材量を、会員端末３ｃによって更新された場合、その更新内容を会員嗜好情報記憶装置１６に反映する手段である。
【００５９】
通信制御装置３１は、通信ネットワーク２に接続するための装置である。ＬＡＮカード、ＬＡＮボード、モデムなどがこれに相当する。通信制御装置３１を介して会員端末３ａと通信を行うことが出来る。
【００６０】
会員用チラシ３２には、商品が掲載されており、一つの商品に対して一つのバーコードが設けられているのが好ましい。ここで、バーコードリーダは一次元でも二次元でも良く、会員端末３ａ乃至３ｃによって読みとれ、発注が出来るものであれば良い。
【００６１】
図示しないが、中央処理装置、ＲＯＭ、ＲＡＭなどが備えられており、これらにより所定の処理を行うことが出来る。又、キーボート゛、マウスなどの入力装置、ディスプレイ、プリンタなどの出力装置等が備えられていても良い。
【００６２】
図７を参照して、商取引サーバ１の処理を説明する。
【００６３】
まず、ステップＳ５０１において、会員認証手段２１により、接続のあった会員の認証を行う。
【００６４】
認証されると、ステップＳ５０２において、家族員数取得手段２２により、会員情報記憶装置１１を参照して、会員の配達スケジュールを取得し、ステップＳ５０３において、次回配送日から次々回配送日までのカレンダーを作成し、会員端末３ａに送信する。
【００６５】
次に、ステップＳ５０４において、家族の員数が入力されたカレンダーを受信する。即ち、１０日火曜日は２人、１１日水曜日は３人などの、家族員数を取得し、家族員数記憶装置１４に登録する。
【００６６】
更に、ステップＳ５０５において、メニュー決定手段２３により、会員端末３ａに、カレンダーに記載された日付それぞれのメニューを決定させる。
【００６７】
更に、ステップＳ５０６において、チラシメニュー記憶装置１８及び会員嗜好情報記憶装置１６を参照して、会員の嗜好にあった素材の種類、量を取得し、会員端末３ａに送信する。
【００６８】
ここで、ステップＳ５０７において、会員端末３ａにより素材の種類や量に変更があった場合は、ステップＳ５０８において、会員嗜好情報記憶装置１６を更新する。更に、ステップＳ５０９において、注文決定手段２４により、商品の注文を決定する。
【００６９】
本発明の第１の実施の形態によれば、会員はその日の人数に応じた商品の素材を発注することが出来る。更に、会員の嗜好に応じて、その分量を計算し、発注することも出来る。
【００７０】
（第２の実施の形態）
第２の実施の形態においては、商取引サーバ１が、会員端末３ａからの注文を受け付ける場合について説明する。
【００７１】
図８に示した本発明の第２の実施の形態に係る商取引システムは、図１に示した本発明の第１の実施の形態に係る商取引システムと比べて、チラシメニュー１８を備えておらず、メニュー記憶装置１２及び会員用チラシ情報記憶装置１５を備えている点が異なる。
【００７２】
会員用チラシ情報記憶装置１５は、会員用チラシ３２ａ乃至３２ｃに掲載されている商品についての情報を登録した記憶装置である。メニュー記憶装置１２は、会員用チラシ記憶装置１５を参照して、登録された商品から作ることの出来るメニューを登録した記憶装置である。即ち、本発明の第１の実施の形態においては、会員端末３ａ乃至３ｃからメニューを注文するのに対して、第２の実施の形態においては、掲載された商品から作ることの出来るメニューを提示し、選択させる点が異なる。又、第２の実施の形態において用いられる会員用チラシ３２ａ乃至３２ｃは、商品毎にバーコードが付与され、注文することが出来るようになっている。
【００７３】
図９を用いて、本発明の第２の実施の形態に係る商取引サーバ１を説明する。
【００７４】
図９を参照すると、商取引サーバ１は、会員情報記憶装置１１、メニュー（創作品）記憶装置１２、注文情報記憶装置１３、家族員数（員数）記憶装置１４、会員用チラシ情報記憶装置（チラシ情報記憶装置）１５を備えている。
【００７５】
会員情報記憶装置１１は、本システムを利用する会員を識別する会員番号を少なくとも含む、会員に関する情報を登録する記憶装置である。更に、商取引サーバ１へのアクセスを認証するパスワードも登録されている。このパスワードは暗号化されて記録されていても良い。図１０に示すように、会員情報記憶装置１１には、会員の識別子である会員番号、名前、家族の人数（家族員数）、配達日、住所などの情報が登録されている。ここで、会員番号は、数字に限らず、文字、記号などを組み合わせた文字列でも良く、会員を一意に識別出来る様に設定される。又、本発明の実施の形態においては、１週間毎に商品の配送を行うので、配達日を曜日で記載しているが、例えば１０日周期の場合は、下一桁が７の日と記載しても良いし、１０日と２５日に配送するように記載しても良い。図示しないが、会員の電話番号等の連絡先を登録しても良いし、会員の自宅まで配送せず、数人のグループの商品をまとめて配送する場合は、そのグループの識別子又は集合場所などを登録しても良い。又、不定期に配送する場合は、注文の都度、次回の配送日を設定する様にしても良い。
【００７６】
メニュー（作品）記憶装置１２は、商品から作成出来るメニューを識別するメニュー番号と、メニューの作成に必要な商品の商品番号及び商品の量を関連づけて登録する記憶装置である。図１１に示すように、メニュー記憶装置１２には、メニュー番号、メニュー名、メニューの調理に必要な素材（商品）とその量を記載している。図１１においては、全てのデータについて２人分の分量で記載しているが、それぞれのメニューにおいて、記録された分量が何人分か、指定しても良い。ここでは、素材を名称で記載したが、商品番号で記載しても良い。又、メニューを調理するレシピ等も合わせて登録し、会員端末３ａに送信しても良い。これにより、会員は迷うことなくメニューを調理することが出来、又、レシピを参照してからメニューを決定することにより、調理時間や手間などを考慮してメニューを決定することが出来る。
【００７７】
注文情報記憶装置１３は、会員番号を少なくとも含む、会員端末３ａ乃至３ｃから注文された内容に関する情報を登録する記憶装置である。図１２に示すように、注文情報記憶装置１３には、会員番号、配達日、商品番号、数量などの商品の注文に関する情報が登録されている。ここでは、会員番号と配達日が同一ならば、同一の注文となる。業者は、注文情報記憶装置１３を参照しながら、小売りへの商品の発注手配、届いた商品の振り分け、配送準備等を行う。
【００７８】
家族員数記憶装置１４は、会員端末３ａ乃至３ｃから受け取った、１週間分の各日にちに、会員が決めたメニューの食事をする員数を登録する記憶装置である。図１３に示すように、会員番号と、注文を受ける期間のそれぞれの日に、メニューの食事をする員数が登録されている。
【００７９】
会員用チラシ情報記憶装置１５は、商品を識別する商品番号を少なくとも含む、会員が参照している会員用チラシ３２に掲載された前記商品に関する情報を登録する記憶装置である。図１４に示すように、会員用チラシ情報記憶装置１５には、商品番号、素材の名称、量、値段などが登録されている。
【００８０】
図９を参照して、商取引サーバ１と会員端末３ａとのシーケンスを説明する。
【００８１】
まず、会員端末３ａから商取引サーバ１に、指定するＵＲＬのドキュメントの送信を要求し、商取引サーバ１は、該当するドキュメントを会員端末３ａに送信する（Ｄ１０１）。ここで送信するドキュメントは、会員端末３ａを利用しているユーザを認証するのに必要な、会員番号、パスワード等を入力させる認証画面である。
【００８２】
次に、会員端末３ａは、送信された認証画面に、会員番号、パスワードを入力し、商取引サーバ１に送信する（Ｄ１０２）。商取引サーバ１は、会員情報記憶装置１１を参照して、送信された会員番号及びパスワードを認証する。認証出来ない場合は、会員に再び会員番号、パスワードを入力させるか、認証処理を終了する。
【００８３】
Ｄ１０２において認証出来た場合は、商取引サーバ１は、会員用のカレンダーを作成し、会員端末３ａに送信する、会員端末３ａにおいて、カレンダーにその日のメニューをとる員数を記入し、会員番号と家族員数を商取引サーバ１に送信する（Ｄ１０４）。商取引サーバ１は、受け取った会員番号及び家族員数を、家族員数記憶装置１４に送信する。
【００８４】
更に、商取引サーバ１と会員端末３ａとで、次週の発注要求を行るように、ＵＲＬや会員番号等をやりとりし、（Ｄ１０５）、商取引サーバ１は、会員端末３ａに、注文画面を送信する（Ｄ１０６）。又、ここには、日付、員数、会員番号等が記載されている。更に、メニューボタンＢ１０１をクリックすることにより、日付、人数、会員番号、メニュー要求などの情報を商取引サーバ１に送信し、メニューの要求を行う（Ｄ１０７）。又、ここで商品の会員用チラシ３２ａを参照しながら、商品の発注を行っても良い。
【００８５】
更に、商取引サーバ１は、受信した日付、人数、会員番号を参照して、会員用チラシ情報記憶装置１５及びメニュー記憶装置１２を参照して、チラシに掲載されている商品から作ることの出来るメニューを検索し、検索されたメニューリストを会員端末３ａに送信する（Ｄ１０８）。会員端末３ａには、送信されたメニューリストＢ１０２が表示されている。
【００８６】
会員は、会員端末３ａを介して、メニューリストＢ１０２からメニューＢ１０３を決定し、決定メニューを商取引サーバ１に送信する（Ｄ１０９）。
【００８７】
このときに、人数を変更出来るようにしても良い。人数が変更されると、商取引サーバ１は、家族員数記憶装置１４に対して更新を行う。これは例えば、会員の家族は「おでん」が好きで、実際には２人で食事するが、３人分食事を用意したい場合や、作り置きをする場合に最適である。
【００８８】
次に、商取引サーバ１は、家族員数記憶装置１４及びメニュー記憶装置１２を参照して、そのメニューの食事をする人数に応じて、決定されたメニューに使われる素材と素材の量を決定し、素材リストとして会員端末３ａに送信する（Ｄ１１０）。
【００８９】
会員端末３ａは、表示された素材リストＤ１０４を参照し、素材リストＢ１０４に挙げられた素材を発注素材として、商取引サーバ１に送信する（Ｄ１１１）。商取引サーバ１は、送信された発注素材を注文情報記憶装置１３に登録する。
【００９０】
図１５に示す様に、本発明の第２の実施の形態に係る商取引サーバ１は、会員情報記憶装置１１、メニュー記憶装置１２、注文情報記憶装置１３、家族員数記憶装置１４、会員用チラシ情報記憶装置１５、会員認証手段２１、家族員数取得手段２２、メニュー決定手段２３、注文決定手段２４、素材量算出手段２５、メニュー作成手段２６、通信制御装置３１を備えている。
【００９１】
会員情報記憶装置１１、メニュー記憶装置１２、注文情報記憶装置１３、家族員数記憶装置１４、会員用チラシ情報記憶装置１５は、図８で説明した通りである。
【００９２】
第２の実施の形態に係るメニュー決定手段２３は、第１の実施の形態に係るメニュー決定手段２３とは異なり、メニュー記憶装置１２を参照して、チラシから調理出来るメニューを選択し、メニューリストとして会員端末３ａに送信し、メニューを決定させる。メニュー決定手段２３は、決定されたメニューを受信し、次回の配送日から１週間のそれぞれの日にちに対してメニューを決定する。
【００９３】
メニュー作成手段２６は、配布された会員用チラシ３２に関する情報が登録された会員用チラシ情報記憶装置１５を参照して、ここに登録された商品から作成するこおｔの出来るメニューを作成し、メニュー記憶装置１２に登録する手段である。このとき、メニューの作成に必要な素材の名称、商品番号、量なども合わせて登録する。
【００９４】
会員認証手段２１、家族員数取得手段２２、メニュー決定手段２３、注文決定手段２４、素材量算出手段２５、通信制御装置３１、会員用チラシ３２は、図６に示した第１の実施の形態の商取引サーバ１に係る各々の機能と同様である。
【００９５】
図示しないが、中央処理装置、ＲＯＭ、ＲＡＭなどが備えられており、これらにより所定の処理を行うことが出来る。又、キーボート゛、マウスなどの入力装置、ディスプレイ、プリンタなどの出力装置等が備えられていても良い。
【００９６】
図１６を参照して、商取引サーバ１の処理を説明する。
【００９７】
まず、ステップＳ１０１において、会員認証手段２１により、接続のあった会員の認証を行う。ここでは、会員端末３ａから、会員番号「Ａ０００１」及びパスワードを受信し、会員情報記憶装置１１に、会員番号及びパスワードが合致するか否か判定し、認証を行う。
【００９８】
認証されると、ステップＳ１０２において、家族員数取得手段２２により、会員情報記憶装置１１を参照して、会員の配達スケジュールを取得し、ステップＳ１０３において、次回配送日から次々回配送日までのカレンダーを作成し、会員端末３ａに送信する。具体的には、図１０に示した会員情報記憶装置１１を参照すると、会員番号「Ａ０００１」の配達日は火曜日なので、１０日火曜日から一週間分のカレンダーを作成する。ここで、会員端末３ａで、それぞれの日付の家族の員数を入力される。
【００９９】
次に、ステップＳ１０４において、家族の員数が入力されたカレンダーを受信する。即ち、１０日火曜日は２人、１１日水曜日は３人などの、家族員数を取得し、家族員数記憶装置１４に登録する。
【０１００】
更に、ステップＳ１０５において、メニュー決定手段２３により、メニュー記憶装置１２を参照して、チラシの素材から作られるメニューを取得し、メニューリストとして会員端末３ａに送信する。ここで送信するメニューは、会員用チラシ情報記憶装置１５に記録された素材で作ることが出来、メニュー記憶装置１２に記録されたメニューである。例えば、「おでん」、「カレー」、「すき焼き」などのメニューをメニューリストとして送信することが出来る。会員端末３ａにおいてメニューリストを受信すると、１０日火曜日のメニューは「おでん」、１１日水曜日のメニューは「すき焼き」など、会員端末３ａに、カレンダーに記載された日付それぞれのメニューを決定させる。
【０１０１】
更に、ステップＳ１０６において、メニュー決定手段２３は、会員端末３ａからそれぞれの日のメニューを受信し、決定する。
【０１０２】
次に、ステップＳ１０７において、注文決定手段２４により、注文する商品を決定する。このとき、素材量算出手段２５により、家族員数記憶装置１４及びメニュー記憶装置１２を参照して、その日の人数に応じた素材量を計算する。例えば、１０日火曜日のおでんのメニューでは、１０日火曜日の家族員数が２人なので、図１１に示したメニュー記憶装置１２のおでんのメニューから、２人分の分量を計算する。即ち、だいこん１／２本（商品番号「Ｆ００１」）、がんもどき２個（商品番号「Ｆ００２」）等と計算される。図１１においては、１０日のメニューの素材のみ記載しているが、他の日のメニューの素材についても記載されているのは勿論のことである。
【０１０３】
計算された商品、素材量を会員端末３ａに送信し、会員端末３ａから認証されると、注文が決定される。決定された注文は、注文情報記憶装置１３に登録される。即ち、図１２に示すように、会員番号「Ａ０００１」の会員に商品番号「Ｆ００１」を一つ、「Ｆ００２」を一つ注文することになる。
【０１０４】
本発明の第２の実施の形態によれば、１週間それぞれの家族の員数を入力させ、それに基づいて、決定したメニューの調理に必要な素材を算出するので、材料を計算する手間が省ける。
【０１０５】
更に、チラシに掲載された商品から調理出来るメニューをサーバ側から提示することにより、会員は、日々のメニュー作りを円滑に行うことが出来る。
【０１０６】
（第３の実施の形態）
第３の実施の形態においては、商取引サーバ１が、会員端末３ｂからの注文を受け付け、会員の好みに合ったメニューを選択させる場合について説明する。
【０１０７】
図１７に示すように、本発明の第３の実施の形態に係る商取引システムのシステム構成図は、図８に示した第２の実施の形態に係るシステム構成図と比べて、商取引サーバ１が、会員嗜好情報記憶装置１６を備えている点が異なる。第３の実施の形態に係る商取引サーバ１の素材量算出手段２５において、会員嗜好情報記憶装置１６を参照して、会員の嗜好に応じた素材量を算出する。
【０１０８】
図１８を用いて、本発明の第３の実施の形態に係る商取引サーバ１と会員端末３ｂとのシーケンスを説明する。
【０１０９】
ここで、会員嗜好情報記憶装置１６は、会員の嗜好にあったメニュー（作品）のメニュー番号（作品番号）及び、会員の嗜好にあったメニュー（作品）を作成する商品（素材）の商品番号及び商品の量を登録していている。会員嗜好情報記憶装置１６は、会員の嗜好にあったメニュー（作品）のメニュー番号（作品番号）のみ登録されていても良いし、会員の嗜好にあったメニュー（作品）を作成する商品（素材）の商品番号及び商品の量のみ登録されていても良い。例えば、竹輪麩が苦手な会員は、おでんのメニューには予め竹輪麩を省き、逆に、玉子の好きな会員は、予め玉子を増やして登録することが出来る。又、会員が良く注文するメニュー、好きなメニューなどを登録しても良い。これらは、季節や時期、時刻のパラメータを備え、このパラメータによって変動出来るようにしても良い。図１９（ａ）に示すように、会員嗜好情報記憶装置１６は、会員番号、メニュー、メニューに使う素材、量などが記録されている。ここに記録されている素材及び量は、図１１に示したメニュー記憶装置１２に記録した素材及び量と異なり、会員の嗜好にあったものである。又、図１９（ｂ）に示すように、会員の嗜好にあったメニューを列挙しても良い。図１９（ａ）及び（ｂ）に示した会員嗜好情報記憶装置１６によれば、会員の嗜好にあったメニュー、素材、素材の量を指定出来るので、会員自身が会員の嗜好に合わせる手間を省くことが出来る。ここで、トマトが嫌い、玉子が好き、等の情報を登録しておき、これらを考慮した量を使ったメニューを紹介しても良い。
【０１１０】
まず、会員端末３ｂから商取引サーバ１に、指定するＵＲＬのドキュメントの送信を要求し、商取引サーバ１は、該当するドキュメントを会員端末３ｂに送信する（Ｄ２０１）。ここで送信するドキュメントは、会員端末３ｂを利用しているユーザを認証するのに必要な、会員番号、パスワード等を入力させる認証画面である。
【０１１１】
次に、会員端末３ｂは、送信された認証画面に、会員番号、パスワードを入力し、商取引サーバ１に送信する（Ｄ２０２）。商取引サーバ１は、会員情報記憶装置１１を参照して、送信された会員番号及びパスワードを認証する。認証出来ない場合は、会員に再び会員番号、パスワードを入力させるか、認証処理を終了する。
【０１１２】
Ｄ２０２において認証出来た場合は、商取引サーバ１は、会員用のカレンダーを作成し、会員端末３ｂに送信する、会員端末３ｂにおいて、カレンダーにその日のメニューをとる員数を記入し、会員番号と家族員数を商取引サーバ１に送信する（Ｄ２０４）。商取引サーバ１は、受け取った会員番号及び家族員数を、家族員数記憶装置１４に送信する。
【０１１３】
更に、商取引サーバ１と会員端末３ｂとで、次週の発注要求を行るように、ＵＲＬや会員番号等をやりとりし、（Ｄ２０５）、商取引サーバ１は、会員端末３ｂに、注文画面を送信する（Ｄ２０６）。又、ここには、日付、員数、会員番号等が記載されている。更に、メニューボタンＢ１０１をクリックすることにより、日付、人数、会員番号、メニュー要求などの情報を商取引サーバ１に送信し、メニューの要求を行う（Ｄ２０７）。又、ここで商品の会員用チラシ３２ｂを参照しながら、商品の発注を行っても良い。
【０１１４】
更に、商取引サーバ１は、受信した日付、人数、会員番号を参照して、会員用チラシ情報記憶装置１５及びメニュー記憶装置１２を参照して、チラシに掲載されている商品から作ることの出来るメニューを検索し、更に、会員嗜好情報記憶装置１６を参照して、会員の嗜好にあったメニューを更に検索し、検索されたメニューリストを会員端末３ｂに送信する（Ｄ２０８）。会員端末３ｂには、送信されたメニューリストＢ１０２が表示されている。
【０１１５】
会員は、会員端末３ｂを介して、メニューリストＢ１０２からメニューＢ１０３を決定し、決定メニューを商取引サーバ１に送信する（Ｄ２０９）。
【０１１６】
次に、商取引サーバ１は、家族員数記憶装置１４及びメニュー記憶装置１２を参照して、そのメニューの食事をする人数に応じて、決定されたメニューに使われる素材と素材の量を検索し、更に、会員嗜好情報記憶装置１６を参照して会員の嗜好にあった素材と素材の量を決定し、素材リストとして会員端末３ｂに送信する（Ｄ２１０）。
【０１１７】
会員端末３ｂは、表示された素材リストＤ２０４を参照し、素材リストＢ１０４に挙げられた素材を発注素材として、商取引サーバ１に送信する（Ｄ２１１）。商取引サーバ１は、送信された発注素材を注文情報記憶装置１３に登録する。
【０１１８】
図２０に示すように、本発明の第３の実施の形態に係る商取引サーバ１の機能ブロック図は、図１５に示した第２の実施の形態に係る機能ブロック図と比べて、商取引サーバ１が、会員嗜好情報記憶装置１６及び嗜好選定手段２７を備えている点が異なる。
【０１１９】
会員嗜好情報記憶装置１６は、図１８で説明した通りである。
【０１２０】
嗜好選定手段２７は、会員嗜好情報記憶装置１６を参照して、会員の嗜好にあったメニューを選択する手段である。即ち、図１９（ｂ）に示したメニューを優先的に選択する手段である。更に、会員情報記憶装置１１を参照して、会員の居住地や年齢、家族構成などを参照して、一般的に好まれるメニューを優先的に選択するようにしても良い。
【０１２１】
又、第３の実施の形態に係る素材量算出手段２５は、第２の実施の形態と比べて、会員嗜好情報記憶装置１６を参照している点が異なる。第３の実施の形態に係る素材量算出手段２５は、図１９（ａ）に示した会員嗜好情報記憶装置１６を参照して、会員の嗜好にあった素材量を算出する。従って、会員の好きな素材の量を増やし、苦手な素材を除いた素材を提示し、購入することが出来る。
【０１２２】
図２１を参照して、商取引サーバ１の処理を説明する。
【０１２３】
まず、ステップＳ２０１において、会員認証手段２１により、接続のあった会員の認証を行う。ここでは、会員端末３ｂから、会員番号「Ａ０００１」及びパスワードを受信し、会員情報記憶装置１１に会員番号及びパスワードが合致するか否かを判定し、認証を行う。
【０１２４】
認証されると、ステップＳ２０２において、家族員数取得手段２２により、会員情報記憶装置１１を参照して、会員の配達スケジュールを取得し、ステップＳ２０３において、次回配送日から次々回配送日までのカレンダーを作成し、会員端末３ｂに送信する。具体的には、図１０に示した会員情報記憶装置１１を参照すると、会員番号「Ａ０００２」の配達日は火曜日なので、１０日火曜日から一週間分のカレンダーを作成する。ここで、会員端末３ｂで、それぞれの日付の家族の員数を入力される。
【０１２５】
次に、ステップＳ２０４において、家族の員数が入力されたカレンダーを受信する。即ち、１０日火曜日は２人、１１日水曜日は３人などの、家族員数を取得し、家族員数記憶装置１４に登録する。
【０１２６】
更に、ステップＳ２０５において、メニュー決定手段２３により、メニュー記憶装置１２を参照して、チラシの素材から作られるメニューを取得する。更に、ステップＳ２０６において、嗜好選定手段２７により会員嗜好情報記憶装置１６を参照して、会員の嗜好にあったメニューを選択し、メニューリストとして会員端末３ｂに送信する。ここで送信するメニューは、会員用チラシ情報記憶装置１５に記録された素材で作ることが出来、メニュー記憶装置１２及び会員嗜好情報記憶装置１６に記録されたメニューである。例えば、図１９（ｂ）に示したように、会員番号「Ａ０００２」の嗜好にあったおでん、カレー、すき焼きなどのメニューをメニューリストとして送信することが出来る。会員端末３ａにおいてメニューリストを受信すると、１０日火曜日のメニューはおでん、１１日水曜日のメニューはすき焼きなど、会員端末３ｂに、カレンダーに記載された日付それぞれのメニューを決定させる。
【０１２７】
更に、ステップＳ２０７において、メニュー決定手段２３は、会員端末３ｂからそれぞれの日のメニューを受信し、決定する。
【０１２８】
次に、ステップＳ２０８において、素材量算出手段２５により、家族員数記憶装置１４及びメニュー記憶装置１２を参照して、その日の人数に応じた素材量を計算する。例えば、１０日火曜日のおでんのメニューでは、１０日火曜日の家族員数が２人なので、図１１に示したメニュー記憶装置１２の「おでん」のメニューから、２人分の分量を計算する。即ち、だいこん１／２本（商品番号「Ｆ００１」）、がんもどき２個（商品番号「Ｆ００２」）等と計算される。更に、会員嗜好情報記憶装置１６を参照して、会員の嗜好にあった素材、素材量を計算する。即ち、図１９（ａ）に示した会員嗜好情報記憶装置１６を参照すると、メニューが「おでん」のときは、だいこんを１本使用するので、だいこん１／２本（商品番号「Ｆ００１」）を二つと調整する。
【０１２９】
次に、ステップＳ２０９において、注文決定手段２４により、注文する商品を決定する。このとき、計算された商品、素材量を会員端末３ｂに送信し、会員端末３ｂから認証されると、注文が決定される。決定された注文は、注文情報記憶装置１３に登録される。即ち、図１２に示すように、会員番号「Ａ０００２」の会員に商品番号「Ｆ００１」を二つ、「Ｆ００２」を一つ注文することになる。
【０１３０】
本発明の第３の実施の形態によれば、予め登録された会員の嗜好にあったメニュー、素材、素材量に従って、注文する商品が決定される。全ての会員に均一のメニューや素材が提供される場合、会員はその都度、会員の嗜好にあったメニューや素材に調整しなければならなかったが、本発明の第３の実施の形態によれば、そのような煩雑な処理を行うことなく、会員の嗜好にあったメニュー、素材の注文を行うことが出来る。
【０１３１】
（第４の実施の形態）
本発明の第４の実施の形態においては、会員から素材や素材量を編集された場合に、会員嗜好情報記憶装置に反映して、随時会員の嗜好に関する情報を管理する場合について説明する。
【０１３２】
本発明の第４の実施の形態に係る商取引システムのシステム構成図は、図１７に示した第３の実施の形態に係る商取引システムのシステム構成図と同様なので、説明を割愛する。
【０１３３】
図２２を用いて、本発明の第４の実施の形態に係る商取引サーバ１と会員端末３ｃとのシーケンスを説明する。
【０１３４】
まず、会員端末３ｃから商取引サーバ１に、指定するＵＲＬのドキュメントの送信を要求し、商取引サーバ１は、該当するドキュメントを会員端末３ｃに送信する（Ｄ３０１）。ここで送信するドキュメントは、会員端末３ｃを利用しているユーザを認証するのに必要な、会員番号、パスワード等を入力させる認証画面である。
【０１３５】
次に、会員端末３ｃは、送信された認証画面に、会員番号、パスワードを入力し、商取引サーバ１に送信する（Ｄ３０２）。商取引サーバ１は、会員情報記憶装置１１を参照して、送信された会員番号及びパスワードを認証する。認証出来ない場合は、会員に再び会員番号、パスワードを入力させるか、認証処理を終了する。
【０１３６】
Ｄ３０２において認証出来た場合は、商取引サーバ１は、会員用のカレンダーを作成し、会員端末３ｃに送信する、会員端末３ｃにおいて、カレンダーにその日のメニューをとる員数を記入し、会員番号と家族員数を商取引サーバ１に送信する（Ｄ３０４）。商取引サーバ１は、受け取った会員番号及び家族員数を、家族員数記憶装置１４に送信する。
【０１３７】
更に、商取引サーバ１と会員端末３ｃとで、次週の発注要求を行るように、ＵＲＬや会員番号等をやりとりし、（Ｄ３０５）、商取引サーバ１は、会員端末３ｃに、注文画面を送信する（Ｄ３０６）。又、ここには、日付、員数、会員番号等が記載されている。更に、メニューボタンＢ１０１をクリックすることにより、日付、人数、会員番号、メニュー要求などの情報を商取引サーバ１に送信し、メニューの要求を行う（Ｄ３０７）。又、ここで商品の会員用チラシ３２ｃを参照しながら、商品の発注を行っても良い。
【０１３８】
更に、商取引サーバは、受信した日付、人数、会員番号を参照して、会員用チラシ情報記憶装置１５及びメニュー記憶装置１２を参照して、チラシに掲載されている商品から作ることの出来るメニューを検索し、更に、会員嗜好情報記憶装置１６を参照して、会員の嗜好にあったメニューを更に検索し、検索されたメニューリストを会員端末３ｃに送信する（Ｄ３０８）。会員端末３ｃには、送信されたメニューリストＢ１０２が表示されている。
【０１３９】
会員は、会員端末３ｃを介して、メニューリストＢ１０２からメニューＢ１０３を決定し、決定メニューを商取引サーバ１に送信する（Ｄ３０９）。
【０１４０】
次に、商取引サーバ１は、家族員数記憶装置１４及びメニュー記憶装置１２を参照して、そのメニューの食事をする人数に応じて、決定されたメニューに使われる素材と素材の量を検索し、更に、会員嗜好情報記憶装置１６を参照して会員の嗜好にあった素材と素材の量を決定し、素材リストとして会員端末３ｃに送信する（Ｄ３１０）。
【０１４１】
会員端末３ｃは、表示された素材リストＢ３０４を参照し、会員の嗜好や在庫に合わせて、素材リスト素材リストＢ１０４を編集し、素材リストＢ１０５を作成する。図２２においては、カレーの材料として、じゃがいもを２個から１個に減らし、うずら玉子１パック、マッシュルーム１缶を追加している。
【０１４２】
編集後の素材リストＢ１０５に挙げられた素材を発注素材として、商取引サーバ１に送信する（Ｄ３１１）。商取引サーバ１は、送信された発注素材を注文情報記憶装置１３に登録する。更に、ここで編集された素材及び素材量について、会員嗜好情報記憶装置１６に登録する。
【０１４３】
これにより、当該会員がカレーのメニューを選択した場合は、じゃがいもを２個から１個に減らし、うずら玉子１パック、マッシュルーム１缶を追加した素材リストが提供されるようになる。
【０１４４】
図２３に示すように、本発明の第４の実施の形態に係る商取引サーバ１の機能ブロック図は、図２０に示した第３の実施の形態に係る機能ブロック図と比べて、商取引サーバ１が、会員嗜好情報更新手段２８を備えている点が異なる。
【０１４５】
会員嗜好情報更新手段２８は、素材量算出手段２５によって算出された素材及び素材量を、会員端末３ｃによって更新された場合、その更新内容を会員嗜好情報記憶装置１６に反映する手段である。
【０１４６】
具体的には、図２２で説明したように会員端末３ｃにおいて「カレー」の素材及び素材量が更新された場合、図２４（ａ）に示したように、会員の嗜好にあった素材及び素材量が登録される。図１９（ｂ）に示した第３の実施の形態に係る会員嗜好情報記憶装置１６と比べて、図２４（ａ）において、会員番号「Ａ０００２」の「カレー」のメニューに関する素材及び素材量が登録されていることがわかる。
【０１４７】
更に、図２４（ｃ）の様に、会員端末３ｃからのメニューの選択頻度によって、会員の嗜好にあったメニューを変更して登録しても良い。図１９（ｂ）に示した第３の実施の形態に係る会員嗜好情報記憶装置１６と比べて、図２４（ｂ）において、会員番号「Ａ０００２」の「カレー」のメニューの順位が高くなっていることがわかる。
【０１４８】
図２５を参照して、本発明の第４の実施の形態に係る商取引サーバ１の処理を説明する。
【０１４９】
まず、ステップＳ３０１において、会員認証手段２１により、接続のあった会員の認証を行う。ここでは、会員端末３ｂから、会員番号「Ａ０００３」及びパスワードを受信し、会員情報記憶装置１１に会員番号及びパスワードが合致するか否かを判定し、認証を行う。
【０１５０】
認証されると、ステップＳ３０２において、家族員数取得手段２２により、会員情報記憶装置１１を参照して、会員の配達スケジュールを取得し、ステップＳ３０３において、次回配送日から次々回配送日までのカレンダーを作成し、会員端末３ｃに送信する。具体的には、図１０に示した会員情報記憶装置１１を参照すると、会員番号「Ａ０００３」の配達日は木曜日なので、１２日木曜日から一週間分のカレンダーを作成する。ここで、会員端末３ｃに、それぞれの日付の家族の員数を入力させる。
【０１５１】
次に、ステップＳ３０４において、家族の員数が入力されたカレンダーを受信し、家族員数を取得し、家族員数記憶装置１４に登録する。
【０１５２】
更に、ステップＳ３０５において、メニュー決定手段２３により、メニュー記憶装置１２を参照して、チラシの素材から作られるメニューを取得する。更に、ステップＳ３０６において、嗜好選定手段２７により会員嗜好情報記憶装置１６を参照して、会員の嗜好にあったメニューを選択し、メニューリストとして会員端末３ｃに送信する。ここで送信するメニューは、会員用チラシ情報記憶装置１５に記録された素材で作ることが出来、メニュー記憶装置１２及び会員嗜好情報記憶装置１６に記録されたメニューである。例えば、図１９（ｂ）に示したように、会員番号「Ａ０００３」の嗜好にあったロールキャベツ、ハンバーグ、カレーなどのメニューをメニューリストとして送信することが出来る。会員端末３ａにおいてメニューリストを受信すると、１０日火曜日のメニューはカレー、１１日水曜日のメニューはロールキャベツなど、会員端末３ｃに、カレンダーに記載された日付それぞれのメニューを決定させる。
【０１５３】
更に、ステップＳ３０７において、メニュー決定手段２３は、会員端末３ｃからそれぞれの日のメニューを受信し、決定する。
【０１５４】
次に、ステップＳ３０８において、素材量算出手段２５により、家族員数記憶装置１４及びメニュー記憶装置１２を参照して、その日の人数に応じた素材量を計算する。例えば、１２日木曜日のカレーのメニューでは、１２日木曜日の家族員数が２人なので、図１１に示したメニュー記憶装置１２のカレーのメニューから、２人分の分量を計算する。即ち、じゃがいも２個（商品番号「Ｆ０１１」）、牛肉ブロック１００ｇ（商品番号「Ｆ０１２」）、にんじん１本（商品番号「Ｆ０１３」）、玉ねぎ２個（商品番号「Ｆ０１５」）等と計算される。更に、会員嗜好情報記憶装置１６を参照して、会員の嗜好にあった素材、素材量を計算する。しかし、図１９（ａ）に示した会員嗜好情報記憶装置１６によれば、会員番号「Ａ０００３」のカレーのメニューに関する嗜好情報がないので、ここでの調整は行わない。その後、ステップＳ３０８において取得された商品、素材量を会員端末３ｃに送信する。このとき、会員端末３ｃにより、じゃがいもを２個から１個に減らし、うずら玉子１パック、マッシュルーム１缶を増やすように編集されている。
【０１５５】
このとき、ステップＳ３０９において、会員端末３ｃにより、編集がされていた場合は、ステップＳ３１０において、その更新内容を会員嗜好情報更新手段２８により、会員嗜好情報記憶装置１６の更新を行う。従って、図２４（ａ）に示すように、会員番号「Ａ０００３」のカレーのデータとして、じゃがいも１個、うずら玉子１パック、マッシュルーム１缶、と会員嗜好情報記憶装置１６に追加される。
【０１５６】
次に、ステップＳ３１１において、注文決定手段２４により、注文する商品を決定し、決定された注文は、注文情報記憶装置１３に登録される。即ち、図１２に示すように、会員番号「Ａ０００３」の会員に、商品番号「Ｆ０１１」を一つ、商品番号「Ｆ０１２」を一つ、商品番号「Ｆ０１３」を一つ、商品番号「Ｆ０１５」を一つ、商品番号「Ｆ０２１」を一つ、商品番号「Ｆ０２２」を一つ注文することになる。
【０１５７】
又、別の機会に会員番号「Ａ０００３」の会員が「カレー」のメニューを選択すると、じゃがいもを２個から１個に減らし、うずら玉子１パック、マッシュルーム１缶を増やした、素材リストが送信されるので、会員が再び嗜好を入力する手間は必要ない。
【０１５８】
本発明の第４の実施の形態によれば、会員の嗜好にあった素材、素材量を随時更新することが出来るので、会員は最新の嗜好に沿った素材を発注することが出来る。
【０１５９】
又、素材の在庫があって発注が必要ない場合などに対応するために、会員嗜好情報記憶装置に反映するか否かを、会員端末から指示させるようにしても良い。
【０１６０】
（第５の実施の形態）
本発明の第５の実施の形態においては、素材量算出手段２５において、端数が発生した場合の対応について記載する。
【０１６１】
本発明においては、会員が選択したメニューに応じて、予め登録した家族員数に適した素材と素材量を決定するので、メニューや家族員数によっては、チラシに掲載された商品の量と、メニューで使う素材の量とが異なり、端数が発生してしまう場合がある。第５の実施の形態においては、メニューで必要なにんじんは１／２本であるのに対して、チラシではにんじんを１本単位で販売している場合について、説明する。
【０１６２】
図２６に示すように、本発明の第４の実施の形態に係る商取引サーバ１の機能ブロック図は、図２３に示した第４の実施の形態に係る機能ブロック図と比べて、商取引サーバ１が、端数注文情報記憶装置１７と、端数注文処理手段２９を備えている点が異なる。
【０１６３】
端数注文記憶装置１７は、メニューによって端数が発生した場合に、注文した会員番号、その素材名と素材量等を記録する記憶装置である。端数注文記憶装置１７は、図２７に示すようなデータ構造を備えている。図２７によれば、会員番号「Ａ０００１」の会員が、にんじん１／２本の端数注文を、会員番号「Ａ０００２」の会員が、パイナップル１／４小の端数注文を行い、他の会員から、それぞれ、にんじん、パイナップルの端数注文が来るのを待機している。
【０１６４】
端数注文処理手段２９は、素材量算出手段２５において、算出された素材量と、チラシに掲載された商品の量とで端数が発生した場合の処理を行う手段である。ここで、端数注文処理２９は、会員端末３ａ乃至３ｃに、端数を切り下げて購入しない、端数を切り上げて購入する、等を選択させることが出来る。
【０１６５】
更に、端数注文記憶装置１７を参照して、同じ素材について端数の発注を希望している会員がおり、その会員との注文がチラシに記載された販売単位と合致する場合には、その会員と共同に素材を購入することが出来る。具体的には、にんじん１／２本の端数注文をした場合、別の会員からにんじん１／２本の端数注文をした場合に、その会員と共同購入することが出来る。ここで共同購入は、複数の会員によってなされれば良く、２人でも、三人でも良い。
【０１６６】
この場合、共同購入する会員に、素材を共同購入することが出来ることをメール等で連絡するのが好ましい。共同購入出来る相手は、グループに対してまとめて配送を行う場合は、グループ内の会員であるのが好ましい。
【０１６７】
又、端数注文記憶装置１７に、当該素材が登録されていない場合は、端数注文処理手段２９によって、端数注文記憶装置１７に登録し、当該素材の端数の注文が行われるのを待機する。
【０１６８】
ここで、端数の計算をする場合は、メニュー毎に素材量の端数を登録するのではなく、次の配達までの期間である１週間の間に端数が発生した場合について、端数注文処理を行うのが好ましい。具体的には、チラシににんじん１本単位で販売しているとする。この場合、火曜日ににんじんを１／２本、木曜日ににんじんを１／２本使用することになるので、１週間単位での素材の端数は発生しない。又、更に金曜日ににんじんを１／２本使用する場合は、にんじん１／２本について、端数注文記憶装置１７に登録し、にんじん１／２本を端数注文する別の会員を待機する。
【０１６９】
図２８を参照して、本発明の第４の実施の形態に係る商取引サーバ１の処理を説明する。図２８には図示しないが、第１乃至第４の実施の形態と同様に、会員認証、家族員数登録等の処理が行われるのは当然である。
【０１７０】
まず、ステップＳ４０１において、素材量算出手段２５によって、メニュー記憶装置１２を参照して、選択されたメニューに必要な素材の種類、量を取得する。
【０１７１】
次に、ステップＳ４０２において、ステップＳ４０１において算出された素材の量について端数があるかないかを判定する。素材の端数がない場合は、ステップＳ４０８において、注文量を決定し、発注を行う。
【０１７２】
一方、ステップＳ４０２において、端数があると判定された場合は、ステップＳ４０３において、端数の対応を会員端末３ａ乃至３ｃに問い合わせ、ステップＳ４０４において、その結果を受信する。
【０１７３】
ステップＳ４０５において、ステップＳ４０４で受信した端数の対応が「切り上げ」の場合は、ステップＳ４０６において、素材の量を切り上げて、ステップＳ４０８において注文量を決定する。例えば、にんじん１／２本の端数が発生した場合、１／２本は切り上げられ、にんじん１本を注文する。
【０１７４】
ステップＳ４０５において、ステップＳ４０４で受信した端数の対応が「切り下げ」の場合は、ステップＳ４０７において、素材の量を切り下げて、ステップＳ４０８において注文量を決定する。例えば、にんじん１／２本の端数が発生した場合、１／２本は切り下げられ、にんじんの注文は行わない。
【０１７５】
ステップＳ４０５において、ステップＳ４０４で受信した端数の対応が「待機」の場合は、ステップＳ４０９において、端数注文情報記憶装置１７を参照して、同じ素材を端数注文し、待機している別の会員がいるか否かを判定する。いる場合は、ステップＳ４０８において、その会員と共同購入し、注文量が決定される。待機している別の会員がいない場合は、ステップＳ４１０において、端数注文情報記憶装置１７に、端数注文を登録して、同じ素材を端数注文する別の会員を待機する。
【０１７６】
図２８においては、ステップＳ４０９において、今回端数注文した会員と既に大気中の会員とで共同購入を行る場合について記載したが、この二会員の注文量を会わせても、チラシに掲載された量に満たない場合は、チラシに掲載された量に足りるまで、待機するのが好ましい。
【０１７７】
例えば、にんじん１本を１／２本ずつ共同購入する場合の料金の請求は、購入するにんじんの量に応じて半分ずつ請求しても良いし、その半分ずつの請求に手数料として数割贈で請求しても良い。
【０１７８】
本発明の第５の実施の形態によれば、会員端末から、素材を無駄なく発注することが出来る。
【０１７９】
（その他の実施の形態）
上記のように、本発明の第１及び第５の実施の形態によって記載したが、この開示の一部をなす論述及び図面はこの発明を限定するものであると理解すべきではない。この開示から当業者には様々な代替実施の形態、実施例及び運用技術が明らかとなろう。
【０１８０】
本発明の実施の形態におけるメニュー記憶装置１２においては、例えば２人などの固定の人数の素材量のメニューを登録するようにしておいても良いし、メニューによって、人数を変動させて素材量を記録していても良い。又、「お刺身」など、人数が少なくても対応出来るメニューや、「カレー」など、人数が多い方が対応しやすいメニューがあることを踏まえて、当該日の家族員数に応じてメニューを選択させるようにしても良い。
【０１８１】
又、本発明の実施の形態においては、食事のメニューと素材について説明したが、本発明を他の商品に適用しても良い。例えば、パーツを商品として販売し、手芸品を作成する場合にも適用することが出来る。
【０１８２】
又、本発明の実施の形態においては、家庭内の食事の素材の注文について記載したが、これに限られず、例えば、料理教室、手芸教室、フラワーアレンジメント教室などにおいても適用することが出来る。
【０１８３】
又、商品の注文は、配送日の１週間前である必要はなく、通信ネットワークを利用した迅速性を生かして、配送出発の直前まで、注文を受け付ける様にしても良い。
【０１８４】
又、配送日が固定の日とは限らず、ランダムに配送日を設けても良い。この場合、次回の配送日までの発注をまとめて行うカレンダーを作成するのが好ましい。
【０１８５】
又、本発明の第２乃至第５の実施の形態においては、素材が掲載されているチラシについて記載されたが、本発明の第１の実施の形態の様に、メニューが掲載されているチラシにも同様の機能を持たせることが出来る。
【０１８６】
又、会員の嗜好として登録する場合は、予め会員に対して、嗜好情報を登録するか否かを選択させ、会員が登録を希望した場合のみ登録するようにしても良い。
【０１８７】
この様な、本発明はここでは記載していない様々な実施の形態等を含むことは勿論である。従って、本発明の技術的範囲は上記の説明から妥当な特許請求の範囲に係る発明特定事項によってのみ定められるものである。
【０１８８】
【発明の効果】
本発明によれば、情報機器から、会員の消費意欲をかき立てることの出来る注文を行うことの出来る商取引サーバを提供することが出来る。
【図面の簡単な説明】
【図１】本発明の第１の実施の形態に係る商取引システムのシステム構成図である。
【図２】本発明の実施の形態において、会員端末から、バーコードリーダを会員用チラシにかざして、商品を注文する状態を示した図である。
【図３】本発明の第１の実施の形態における、会員用チラシの一例である。
【図４】本発明の第１の実施の形態に係る商取引サーバと会員端末との通信を示したシーケンス図である。
【図５】本発明の第１の実施の形態に係るチラシメニュー記憶装置のデータ構造及びデータの例である。
【図６】本発明の第１の実施の形態に係る商取引サーバの機能ブロック図である。
【図７】本発明の第１の実施の形態に係る商取引方法のフローチャートである。
【図８】本発明の第２の実施の形態に係る商取引システムのシステム構成図である。
【図９】本発明の第２の実施の形態に係る商取引サーバと会員端末との通信を示したシーケンス図である。
【図１０】本発明の第２の実施の形態に係る会員情報記憶装置のデータ構造及びデータの例である。
【図１１】本発明の第２の実施の形態に係るメニュー情報記憶装置のデータ構造及びデータの例である。
【図１２】本発明の第２の実施の形態に係る注文情報記憶装置のデータ構造及びデータの例である。
【図１３】本発明の第２の実施の形態に係る家族員数記憶装置のデータ構造及びデータの例である。
【図１４】本発明の第２の実施の形態に係るチラシ情報記憶装置のデータ構造及びデータの例である。
【図１５】本発明の第２の実施の形態に係る商取引サーバの機能ブロック図である。
【図１６】本発明の第２の実施の形態に係る商取引方法のフローチャートである。
【図１７】本発明の第３の実施の形態に係る商取引システムのシステム構成図である。
【図１８】本発明の第３の実施の形態に係る商取引サーバと会員端末との通信を示したシーケンス図である。
【図１９】本発明の第３の実施の形態に係る会員嗜好情報記憶装置のデータ構造及びデータの例である。
【図２０】本発明の第３の実施の形態に係る商取引サーバの機能ブロック図である。
【図２１】本発明の第３の実施の形態に係る商取引方法のフローチャートである。
【図２２】本発明の第４の実施の形態に係る商取引サーバと会員端末との通信を示したシーケンス図である。
【図２３】本発明の第４の実施の形態に係る商取引サーバの機能ブロック図である。
【図２４】本発明の第４の実施の形態に係る会員嗜好情報記憶装置のデータ構造及びデータの例である。
【図２５】本発明の第４の実施の形態に係る商取引方法のフローチャートである。
【図２６】本発明の第５の実施の形態に係る商取引サーバの機能ブロック図である。
【図２７】本発明の第５の実施の形態に係る端数注文情報記憶装置のデータ構造及びデータの例である。
【図２８】本発明の第５の実施の形態に係る商取引方法のフローチャートである。
【符号の説明】
１…商取引サーバ
２…通信ネットワーク
３ａ〜３ｃ…会員端末
４ａ…バーコードリーダ
１１…会員情報記憶装置
１２…メニュー記憶装置
１３…注文情報記憶装置
１４…家族員数記憶装置
１５…会員用チラシ情報記憶装置
１６…会員嗜好情報記憶装置
１７…端数注文情報記憶装置
１８…チラシメニュー記憶装置
２１…会員認証手段
２２…家族員数取得手段
２３…メニュー決定手段
２４…注文決定手段
２５…素材量算出手段
２６…メニュー作成手段
２７…嗜好選定手段
２８…会員嗜好情報更新手段
２９…端数注文処理手段
３１…通信制御装置
３２、３２ａ〜３２ｃ…チラシ
３３ａ、３３ｂ…商品バーコード部
３４ａ…商品ジャンルバーコード部
４１ａ、４１ｂ…メニュー表示部
【図１】
2004046534.tif 000003
【図２】
2004046534.tif 000004
【図３】
2004046534.tif 000005
【図４】
2004046534.tif 000006
【図５】
2004046534.tif 000007
【図６】
2004046534.tif 000008
【図７】
2004046534.tif 000009
【図８】
2004046534.tif 000010
【図９】
2004046534.tif 000011
【図１０】
2004046534.tif 000012
【図１１】
2004046534.tif 000013
【図１２】
2004046534.tif 000014
【図１３】
2004046534.tif 000015
【図１４】
2004046534.tif 000016
【図１５】
2004046534.tif 000017
【図１６】
2004046534.tif 000018
【図１７】
2004046534.tif 000019
【図１８】
2004046534.tif 000020
【図１９】
2004046534.tif 000021
【図２０】
2004046534.tif 000022
【図２１】
2004046534.tif 000023
【図２２】
2004046534.tif 000024
【図２３】
2004046534.tif 000025
【図２４】
2004046534.tif 000026
【図２５】
2004046534.tif 000027
【図２６】
2004046534.tif 000028
【図２７】
2004046534.tif 000029
【図２８】
2004046534.tif 000030